(57)【要約】【課題】  梯子の下から操作して周囲の設備に支障なく簡単に梯子を固定出来る軽量で安価な梯子の固定装置の提供。【解決手段】  柱に立て掛けて使用する梯子の固定装置であって、梯子１を構成する二本のそれぞれの桿状体１ｂ、１ｂの上部に着脱自在の一対のロープ掛け止め具３、３と、該ロープ掛け止め具３、３を介して梯子１を前記柱Ｐに固定するためのロープ４と、更にロープ４を梯子１の下から誘導操作するためのロープ操作用具７と、を備えて成ることを特徴とする。【選択図】        図１
2006328846.tif 000002
【特許請求の範囲】
【請求項１】
柱に立て掛けて使用する梯子の固定装置であって、梯子を構成する二本のそれぞれの桿状体の上部に着脱自在の一対のロープ掛け止め具と、該ロープ掛け止め具を介して梯子を前記柱に固定するためのロープと、更にロープを梯子の下から誘導操作するためのロープ操作用具と、を備えて成ることを特徴とする梯子の固定装置。
【請求項２】
ロープ掛け止め具は、梯子の前記桿状体にロープ掛け止め具を係合把持するための着脱自在の把持部と、該把持部に固着したＬ字形金具と、から成り、Ｌ字形金具は梯子を柱に立て掛けたときに柱側に向かってほぼ水平に突出した状態となるように角度をつけて設けて成ることを特徴とする請求項１記載の梯子の固定装置。
【発明の詳細な説明】
【技術分野】
【０００１】
本発明は、電柱のような柱に立て掛けて使用する際に、姿勢を安定させるための梯子の固定装置に関する。
【背景技術】
【０００２】
従来、電気工事などで用いる梯子では、電柱に梯子を立て掛けたときに、梯子がずれたり、倒れたりしないように、梯子の電柱に当接する最上部に開閉可能な挟持具を備えた例が多く知られる。
【０００３】
例えば、「梯子本体の最上部のステップに回動自在に枢着された一対の抱持杆とこれらの一対の抱持杆が相互に開くように付勢する手段と、前記抱持杆の枢着基部から内側に向けてほぼ直角に設けられた作動レバーと、上記抱持杆の付勢手段に抗してその回動をロックする手段と、該ロック手段を解除する手段から構成され、上記最上部のステップを電柱等の柱に押し付けた時、その反力により上記作動レバーを押して一対の抱持杆を相互に閉じる方向に回動させ、上記電柱を抱持するようにして梯子本体の上部を固定せしめる。」という発明が開示されている（例えば、特許文献１参照。）。
【特許文献１】特開平１１−２７０２６４号公報
【発明の開示】
【発明が解決しようとする課題】
【０００４】
然しながら上述の従来例では、いずれも梯子の上部が重くなり、扱いにくく、且つ電柱に固設された器具類、例えば街路灯及びフォトスイッチのような付帯器具に接触した場合、転倒防止用の固定装置自体が硬い剛性物によって構成されているため、器具類を破損するなどの不都合な事態が生ずることで、実際に使用するには躊躇せざるを得ないのが現状である。
【０００５】
本発明は、上述の事情に鑑みて成されたもので、梯子の下から操作して周囲の設備に支障なく簡単に梯子を固定出来る軽量で安価な梯子の固定装置を提供することを目的とする。
【課題を解決するための手段】
【０００６】
本発明は、下記構成を備えることにより上記課題を解決できるものである。
【０００７】
（１）柱に立て掛けて使用する梯子の固定装置であって、梯子を構成する二本のそれぞれの桿状体の上部に着脱自在の一対のロープ掛け止め具と、該ロープ掛け止め具を介して梯子を前記柱に固定するためのロープと、更にロープを梯子の下から誘導操作するためのロープ操作用具と、を備えて成る梯子の固定装置。
【０００８】
（２）ロープ掛け止め具は、梯子の前記桿状体にロープ掛け止め具を係合把持するための着脱自在の把持部と、該把持部に固着したＬ字形金具と、から成り、Ｌ字形金具は梯子を柱に立て掛けたときに柱側に向かってほぼ水平に突出した状態となるように角度をつけて設けて成る前項（１）記載の梯子の固定装置。
【発明の効果】
【０００９】
本発明によれば、梯子の下から操作して周囲の設備に支障なく簡単に梯子を固定出来る軽量で安価な梯子の固定装置を提供することが出来る。
【発明を実施するための最良の形態】
【００１０】
以下、本発明に係る梯子の固定装置の実施の形態を説明する。
【００１１】
図１は、本発明に係る梯子の固定装置の使用状況の一例を示す説明図、（ａ）は実施例における全体側面図、（ｂ）は要部構成を示す斜視図、図２は、ロープ掛け止め具の要部構成を示す斜視図、（ａ）は対をなすロープ掛け止め具の一方の構成を示す斜視図、（ｂ）は対をなすロープ掛け止め具の他方の構成を示す斜視図、図３は、ロープ掛け止め具を梯子に取り付けた状態を示す下方から見た斜視図、図４は、ロープ操作用具の構成例を示す説明図、（ａ）はロープ受部材をＵ字形とした例の図、（ｂ）はロープ受部材を開閉自在の環状体とした例の図、（ｃ）は環状体としたロープ受部材の要部構成の一例を示す拡大図、図５は、ロープの端部に掛止用リングを有する場合の一例を示す図、図６は、ロープの掛け回し状態の例を示す模式的説明図、（ａ）は第１例の図、（ｂ）は第２例の図、（ｃ）は第３例の図である。
【実施例】
【００１２】
図１（ａ）、（ｂ）に示すように、柱Ｐに立て掛けて使用する梯子１上部の当接部材２及び足がかりとなる横木部材１ａの下方且つ梯子１を構成する二本のそれぞれの桿状体１ｂ、１ｂに着脱自在のロープ掛け止め具３、３と、このロープ掛け止め具３、３を介して前記柱Ｐに固定するためのロープ４と、更にロープ４を梯子１の下から誘導操作するためのロープ操作用具７と、を備えたことを特徴とする。
【００１３】
尚、当接部材２は、ゴム等の弾性体からなり、当接面が滑り止め溝付きの挟持部を形成し、柱の面に係合密着するように構成されている（図１（ｂ）参照）。
【００１４】
また、梯子１の頂部には、例えば電柱に張られた架線に引っ掛けて使用する場合のフックＦが開閉可能に設けられている。
【００１５】
図２（ａ）、（ｂ）及び図３に示すように、ロープ掛け止め具３、３は、ボルト・ナットのような締結部材３ｃ、３ｃを弛緩・緊締して着脱自在の、例えば半割筒形の把持部３ａ、３ａとこれに固着したＬ字形金具３ｂ、３ｂとから成り、前記Ｌ字形金具３ｂ、３ｂは梯子１を柱Ｐに立て掛けたときに柱Ｐ側に向かってほぼ水平に突出した状態となるように把持部３ａに対し角度θ１傾けて溶接等により固着してある。
【００１６】
Ｌ字形金具３ｂは、図２（ａ）、（ｂ）に示すように、直角よりも小さめの鋭角θ２（θ２＜９０°）の角度に曲げ加工してある。そして更に突端部に抜け止め防止用の凸部３０を設けたことでロープ４を引っ掛けた時に外れ易くするのを防いでいる。
【００１７】
また、半割筒形の把持部３ａを梯子１の桿状体１ｂに把持して固定する際のボルト、ナットから成る締結部材３ｃ、３ｃを弛緩・緊締して同種の何れの梯子にも着脱可能に構成されている。
【００１８】
また、ロープ４を支えて誘導し掛け回すためのロープ受部材５を図４中矢印チの方向に沿って伸縮自在の棹状体６の先端部に突設して梯子１の下から操作可能なロープ操作用具７を備えている。
【００１９】
図４（ａ）は、ロープ受部材５をＵ字形とした場合の例である。
【００２０】
図４（ｂ）は、ロープ受部材５−１として環状形に形成した場合であり、図４（ｃ）に示すように、環状の輪の一部に環状体を図中矢印イ方向に揺動可能に閉じる方向に付勢したバネ（コイルバネなど）を添設した支軸５−１ｂを有する爪部５−１ａにより、爪部５−１ａをロープ４に押し付けて爪部５−１ａを開き、ロープ４を環状体内に誘導し梯子１の下からロープ４を操作することが出来る。
【００２１】
図５は、ロープ４の基点となる一端に引っ掛け用のリング４ａを取り付けた例を示したが、ロープ掛け止め具３に直接結び付けてもよく、この場合環状形ロープ受部材５−１を用いる時は、予め環状形ロープ受部材５−１にロープ４を挿通した状態にセットしておくことになる。ロープ４を掛け回して操作し、柱Ｐに梯子１を括り付けロープ４の終端部４ｂを柱Ｐの下部に引き寄せ所望部位に繋着することで、梯子１を確実に柱Ｐに固定することが出来る。
【００２２】
図６は、梯子１をロープ掛け止め具３、３のＬ字形金具３ｂ、３ｂを介して柱Ｐにロープ４を掛け回して括り付ける方法の例を第１例から第３例まで示したもので、（ａ）の第１例は、図示するように、基点となるロープ４の一端に設けた引っ掛け用のリング４ａを先掛けのロープ掛け止め具３のＬ字形金具３ｂに引っ掛け図中矢印ロの方向にロープ４を引き、後掛けとなるもう一方のロープ掛け止め具３のＬ字形金具３ｂに矢印ハの方向に１回掛け回し矢印トの方向にロープ４を緊張する状態に引き下げてロープ４の終端部４ｂを柱の下部所望部位に繋着固定する様にした例である。
【００２３】
（ｂ）の第２例は、前記第１例の後掛けを１回掛け回しとしたのに対し２回掛け回し（矢印ニ）とした例である。
【００２４】
（ｃ）の第３例は、前記第１例の後掛けとは逆の方向（矢印ホ）から掛け回した例である。
【００２５】
尚、ロープの掛け回し方法は、本実施例に限定されるものではなく、梯子を安定して柱に括り付けることが出来れば良い。
【００２６】
更に説明を加えるとすれば、本発明に係る梯子の固定装置は、取り付けに際して梯子本体に傷をつけることなく、またＬ字形金具を梯子本体の内側に設けたことで、梯子を折り畳んで整理する時にも支障を来たすことはない。
【００２７】
以上説明した様に、ロープ掛け止め具を介して柱に括り付ける部材を柔軟性を有するロープとしたことで、例えば各種器具類が固設された電柱に支障なく自在に巻き付けて使用することができ、しかも既存の梯子に簡単に着脱できると同時に当初の梯子の重量をその侭維持でき軽くて扱い易く安価な梯子の固定装置を提供出することが出来る。
【図面の簡単な説明】
【００２８】
【図１】本発明に係る梯子の固定装置の使用状況の一例を示す説明図、（ａ）実施例における全体側面図、（ｂ）要部構成を示す斜視図
【図２】ロープ掛け止め具の要部構成を示す斜視図、（ａ）対をなすロープ掛け止め具の一方の構成を示す斜視図、（ｂ）対をなすロープ掛け止め具の他方の構成を示す斜視図
【図３】ロープ掛け止め具を梯子に取り付けた状態を示す下方から見た斜視図
【図４】ロープ操作用具の構成例を示す説明図、（ａ）ロープ受部材をＵ字形とした例の図、（ｂ）ロープ受部材を開閉自在の環状体とした例の図、（ｃ）環状体としたロープ受部材の要部構成を示す拡大図
【図５】ロープの端部に掛止用リングを有する場合の一例を示す図
【図６】ロープの掛け回し状態の例を示す模式的説明図、（ａ）第１例の図、（ｂ）第２例の図、（ｃ）第３例の図
【符号の説明】
【００２９】
１    梯子
１ａ  横木部材
１ｂ  桿状体
２    当接部材
３    ロープ掛け止め具
３ａ  把持部
３ｂ  Ｌ字形金具
３ｃ  締結部材（ボルト、ナット）
４    ロープ
５、５−１  ロープ受部材
６    棹状体
７    ロープ操作用具
Ｐ    柱
【図１】
2006328846.tif 000003
【図２】
2006328846.tif 000004
【図３】
2006328846.tif 000005
【図４】
2006328846.tif 000006
【図５】
2006328846.tif 000007
【図６】
2006328846.tif 000008